【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】  細長い対象物の強磁性体材料を磁化する方法であって、
前記対象物の全長に沿って延びていて各サイクルにわたって連続的に変化する縦方向の磁化を行う多数サイクルをつくり出し、それによって前記対象物の周囲にほぼシリンダ状に対称的であり且つ前記対象物の全長に沿って延びている放射状の外部磁界を多数サイクルにわたって生じさせて前記強磁性体材料を磁化するために、前記対象物の一部にマグニタイザを使用して磁界を加えるステップと、
前記対象物の他の部分に前記マグニタイザの磁界を加えるために、前記対象物の全長に沿って前記対象物と前記マグニタイザの間に相対的な運動を与えるステップと
を含む方法。
【請求項２】  請求項１記載の方法において、前記外部磁界は、その極性が前記対象物の全長に沿って反復して変化する放射状の磁力線を持つ方法。
【請求項３】  請求項２記載の方法において、前記放射状の磁力線は、前記対象物の表面上を対象物の全長に沿って、または前記対象物の内部を延びる軸部分を持ち、また前記対象物の外部を、前記対象物の全長に沿って延びる軸部分を持つ磁力線ループの一部である方法。
【請求項４】  細長い対象物の強磁性体材料を磁化する方法であって、前記対象物の全長に沿って延びていて各サイクルにわたって連続的に変化する縦方向の磁化を行う多数サイクルをつくり出し、それによって前記対象物の周囲にほぼシリンダ状に対称的であり且つ前記対象物の全長に沿って延びている放射状の外部磁界を多数サイクルにわたって生じさせて前記強磁性体材料を磁化するために前記対象物に磁界を加える方法において、前記磁界は前記対象物とマグニタイザの縦方向の相対的な運動の間に加えられ、前記マグニタイザによって加えられる磁界は反復して変化する極性を持つ方法。
【請求項５】  細長い対象物の強磁性体材料を磁化する方法であって、前記対象物の周囲の放射状の外部磁界がほぼシリンダ状に対称的であり且つ前記対象物の全長に沿って変化するように、前記強磁性体材料を磁化するために前記対象物に磁界を加える方法において、前記磁界は前記対象物とマグニタイザの縦方向の相対的な運動の間に加えられ、前記マグニタイザによって加えられる磁界は反復して変化する極性を持ち、前記マグニタイザは前記対象物の対向側面に配置された一組の鏡像磁石を含み、前記対象物に隣接した前記鏡像磁石の極性は前記相対的な運動の間に反復して変化する方法。
【請求項６】  請求項５記載の方法において、前記マグニタイザは、前記対象物の周囲に配置された複数組の磁石を含む方法。
【請求項７】  請求項６記載の方法において、前記各組の磁石は、前記対象物の全長に対して直角な面内に位置している軸を中心にして回転する方法。
【請求項８】  請求項５記載の方法において、前記磁石は、前記対象物の全長に垂直な面内に位置している軸を中心にして回転する方法。
【請求項９】  受動的な磁気検出のための外部磁界を伴った強磁性体材料からなる細長い対象物を提供する方法であって、前記対象物の全長に沿って延びていて各サイクルにわたって連続的に変化する縦方向の磁化を行う多数サイクルをつくり出し、それによって前記対象物の周囲にほぼシリンダ状に対称的であり且つ前記対象物の全長に沿って延びている放射状の外部磁界を多数サイクルにわたって生じさせて前記強磁性体材料を磁化するために、前記対象物の一部にマグニタイザを使用して磁界を加える方法。
【請求項１０】  強磁性体材料からなる細長い対象物に磁気サインを付与する方法であって、前記対象物の全長に沿って延びていて各サイクルにわたって連続的に変化する縦方向の磁化を行う多数サイクルをつくり出し、それによって前記対象物の周囲にほぼシリンダ状に対称的であり且つ前記対象物の全長に沿って延びている放射状の外部磁界を多数サイクルにわたって生じさせるようにし、そして前記対象物のセンターラインからの距離Ｒについて、前記放射状の外部磁界の強度が、前記対象物からの放射方向に拘りなく１／Ｒｎ（ただし、ｎ<２）に従って減少するようにした方法。
【請求項１１】  強磁性体材料からなる細長い対象物に磁気サインを付与する方法であって、前記対象物の全長に沿って複数メートルにわったって延びている、前記対象物の周囲の放射状の外部磁界を多数サイクルにわたって生じさせるようにして、前記強磁性体材料を磁化するためにマグニタイザを使用する方法において、各サイクルは、一つの半サイクルを通して前記対象物から一方の極性の放射状の磁力線が出ている当該一つの半サイクルと、他の半サイクルを通して前記対象物から反対の極性の放射状の磁力線が出ている当該他の半サイクルとを含む方法。
【請求項１２】  請求項１１記載の方法において、前記対象物のセンターラインからの距離Ｒについて、前記放射状の外部磁界の強度が１／Ｒｎ（ただし、１<ｎ<２）に従って減衰するように、前記放射状の外部磁界の各サイクルの波長を定義するために、前記放射状の外部磁界の多数サイクルにおける多数の極性の変換点は、前記対象物の全長に沿って間隔が置かれている方法。
【請求項１３】  強磁性体材料からなる細長い対象物に磁気サインを付与する方法であって、前記対象物の周囲に放射状の外部磁界を多数サイクルにわたって生じさせて、前記対象物のセンターラインからの距離Ｒについて、前記放射状の外部磁界の強度が１／Ｒｎ（ただし、ｎ<２）に従って減衰するように、前記強磁性体材料を磁化するためにマグニタイザを使用するステップを含む方法。
【請求項１４】  請求項１乃至１３の何れかの請求項に記載の方法において、前記放射状の外部磁界は、前記細長い対象物の全長を通じて連続的に延びている方法。
【請求項１５】  請求項１乃至１４の何れかの請求項に記載の方法において、前記放射状の外部磁界は、前記対象物の全長に沿って方形波パターンを持つ方法。
【請求項１６】  請求項１乃至１４の何れかの請求項に記載の方法において、前記放射状の外部磁界は、前記対象物の全長に沿って正弦波パターンを持つ方法。
【請求項１７】  請求項１乃至１６の何れかの請求項に記載の方法において、前記対象物の前記強磁性体材料は、最初に磁化され、次に前記対象物は地中に埋設される方法。
【請求項１８】  請求項１乃至１７の何れかの請求項に記載の方法において、前記対象物の前記強磁性体材料は最初に磁化され、次いで前記対象物が水域の中に配置される方法。
【請求項１９】  強磁性体材料からなる細長い対象物を磁化するための装置であって、前記対象物の対向側面に前記対象物に隣接して設置されるように配置された一組の鏡像磁石を含むマグニタイザと、前記対象物の全長に沿って前記対象物と前記マグニタイザにガイドされた相対的な運動を与える機構と、前記磁石に対して前記対象物が動かされたときに、前記対象物に隣接した磁石の極性を反復して変化させる機構とを備えた装置。
【請求項２０】  請求項１９記載の装置において、前記マグニタイザは、前記対象物の周囲に設置されるように配置された複数組の磁石を含む装置。
【請求項２１】  請求項１９記載の装置において、前記磁石は一組の反対極性の端部を持ち、前記磁石の極性を反復して変化させる機構は、前記対象物の縦軸面にほぼ垂直であり、かつ前記対象物の全長にほぼ垂直な面内に位置する軸を中心にして前記磁石を向かい合わせて回転させる装置を含んでいて、前記磁石を向かい合わせて回転させる装置は前記対象物の動きに整合させてある装置。
【請求項２２】  請求項２１記載の装置において、前記磁石を向かい合わせて回転させる装置は、前記対象物の縦方向の運動によって回転するように配置されている駆動ローラと、前記駆動ローラの回転に応じて前記磁石を回転させるリンケージとを含んでいる装置。
【請求項２３】  請求項２２記載の装置において、前記リンケージは、前記駆動ローラの回転に応じて前記磁石の回転の変動を許容するデバイスを含む装置。
【請求項２４】  請求項２１記載の装置において、前記磁石は、回転ディスクの上に支持されている装置。
【請求項２５】  強磁性体材料からなる細長い対象物を磁化するための装置であって、マグニタイザと、前記対象物の全長に沿って前記対象物と前記マグニタイザとにガイドされた相対的な運動を付与する機構と、前記対象物の全長に沿って延びている、各サイクルを通じて連続的に変化する縦方向の磁化の多数サイクルをつくり出し、それによって前記対象物の周囲にほぼシリンダ状に対称的であり且つ前記対象物の全長に沿って延びている放射状の外部磁界の多数サイクルを生じさせて前記強磁性体材料を磁化するように、前記対象物の一部に磁界を加えるために前記マグニタイザを駆動する手段とを備えた装置。
【請求項２６】  強磁性体材料からなる細長い対象物を磁化するための装置であって、前記対象物の全長に沿って延びていて各サイクルを通じて連続的に変化する縦方向の磁化の多数サイクルをつくり出し、それによって前記対象物の周囲にシリンダ状に対称的であり且つ前記対象物の全長に沿って延びている放射状の外部磁界の多数サイクルが形成されるように前記対象物に磁界を加えるためのマグニタイザと、前記対象物の全長に沿って前記対象物と前記マグニタイザの間の相対的な運動を付与する機構とを備えた装置。
【請求項２７】  強磁性体材料からなる細長い対象物に磁気サインを付与する装置であって、前記装置は前記強磁性体を磁化するマグニタイザを備えており、前記マグニタイザは、前記対象物の周囲にシリンダ状に対称的であり且つ前記対象物の全長に沿って延びている放射状の外部磁界の多数サイクルをつくり出し、前記各サイクルは、一つの半サイクルを通して前記対象物から一方の極性の放射状の磁力線が出ている当該一つの半サイクルと、他の半サイクルを通して前記対象物から反対の極性の放射状の磁力線が出ている当該他の半サイクルとを含む装置。
【請求項２８】  強磁性体材料からなる細長い対象物に磁気サインを付与する装置であって、前記装置は前記強磁性体を磁化するマグニタイザを備えており、前記マグニタイザは、前記対象物の周囲にシリンダ状に対称的であり且つ前記対象物の全長に沿って延びている放射状の外部磁界の多数サイクルをつくり出し、前記対象物のセンターラインからの距離Ｒについて、放射状の外部磁界の強度が、１／Ｒｎ（ただし、ｎ<２）に従って減少するように前記強磁性体材料を磁化する装置。
【請求項２９】  請求項１９乃至２８の何れかの請求項に記載の装置において、前記マグニタイザは、前記放射状の外部磁界がメートルで計測された波長を持つように前記強磁性体を磁化する装置。
【請求項３０】  請求項１９乃至２９の何れかの請求項に記載の装置において、前記マグニタイザは、前記放射状の外部磁界が前記対象物の全長に沿って方形波パターンを持つように前記強磁性体材料を磁化する装置。
【請求項３１】  請求項１９乃至２９の何れかの請求項に記載の装置において、前記マグニタイザは、前記放射状の外部磁界が前記対象物の全長に沿って正弦波パターンを持つように前記強磁性体材料を磁化する装置。
【請求項３２】  請求項１９乃至３１の何れかの請求項に記載の装置において、前記放射状の外部磁界のサイクルは同じ長さである装置。
【請求項３３】  強磁性体材料からなる細長い対象物であって、前記対象物は当該対象物の全長に沿って延びており各サイクルを通して連続的に変化する縦方向の磁化の多数サイクルを付与するために磁化され、それによって前記対象物の周囲に、前記対象物の全長に沿って複数メートルを越えて延びている放射状の外部磁界の多数サイクルが形成され、前記放射状の外部磁界の各サイクルは、３６０度にわたって前記対象物から一つの極性の放射状の磁力線を放出する一つの半サイクルと、３６０度にわたって前記対象物から反対の極性の放射状の磁力線を放出する他の半サイクルとを含む細長い対象物。
【請求項３４】  請求項３３記載の装置において、前記縦方向の磁化のサイクルは、複数メートルにわって同じであり、前記放射状の外部磁界のサイクルは複数メートルにわたって同じである細長い対象物。
【請求項３５】  請求項３３記載の装置において、前記放射状の外部磁界の、多数サイクルの多数の極性の変換点は、前記放射状の外部磁界の強度の減少が前記対象物のセンターラインからの距離Ｒについて１／Ｒｎ（ただし、１<ｎ<2）に従って決定されるように、前記放射状の外部磁界の各サイクルの波長を定義するために、前記対象物の全長に沿って間隔が置かれている細長い対象物。
【請求項３６】  請求項３３乃至３５の何れかの請求項に記載の細長い対象物において、前記放射状の外部磁界が前記対象物の全長に沿って正弦波パターンを持つ細長い対象物。
【請求項３７】  請求項３３乃至３５の何れかの請求項に記載の細長い対象物において、前記放射状の外部磁界が前記対象物の全長に沿って方形波パターンを持つ細長い対象物。
【請求項３８】  請求項３３乃至３７の何れかの請求項に記載の細長い対象物において、  前記対象物は、ファイバ光学ケーブルである細長い対象物。
【請求項３９】  請求項３３乃至３８の何れかの請求項に記載の細長い対象物において、前記対象物は、強磁性体パイプである細長い対象物。
【請求項４０】  請求項３３乃至３９の何れかの請求項に記載の細長い対象物において、前記放射状の外部磁界はほぼシリンダ状に対称的である細長い対象物。
【請求項４１】  請求項３３乃至４０の何れかの請求項に記載の細長い対象物において、縦方向の磁化の強度は、それについての各サイクルを通して漸次変化している細長い対象物。
【請求項４２】  請求項３３乃至４１の何れかの請求項に記載の細長い対象物において、前記放射状の磁力線は、極性の変換点の間の、前記放射状の外部磁界の各サイクルを通して前記対象物から出ている細長い対象物。
【請求項４３】  請求項３３乃至４２の何れかの請求項に記載の細長い対象物において、前記放射状の外部磁界のサイクルが同じ長さである細長い対象物。
【請求項４４】  前記対象物の全長に沿って複数メートルにわたって延びている前記対象物の周囲の放射状の外部磁界の多数サイクルをつくりだし、前記対象物の外部磁界の減少が、前記対象物のセンターラインからの距離Ｒについて、前記対象物からの放射方向に拘りなく１／Ｒｎ（ただし、１<ｎ<2）に従って決定されるように磁化された強磁性体材料からなる細長い対象物。
【手続補正２】
【補正対象書類名】明細書
【補正対象項目名】０００７
【補正方法】変更
【補正の内容】
【０００７】
本発明は、永久残留磁気を誘起する光ファイバ・ケーブル、または他の細長い対象物の強磁性体材料に飽和に近い磁界を発生する。発生した磁化は、地磁気による強磁性体材料の自然磁化よりも遥かに強い。外部から加えた軸方向（縦方向）の磁化の軸方向の勾配によりシリンダ状にほぼ対称であり、ケーブルの全長に沿って周期的に変化するケーブルの周囲に放射状の外部「漏洩」磁界が発生し、受動磁気検出方法により容易に検出することができる強力な永久磁気サインが行われる。ケーブル沿いの放射状の外部磁界の周期的な変化は、例えば、方形波または正弦波の形をとる場合がある。変化の波長が十分に長い場合には、ケーブルの全長の大部分上の外部磁界の強度は、ケーブルからの距離によりほぼ直線的に減衰する。
【手続補正３】
【補正対象書類名】明細書
【補正対象項目名】００１７
【補正方法】変更
【補正の内容】
【００１７】
図７および図８に示すように、１／Ｒの関係の場合、波長Ｌと比較すると短いケーブルからの距離のところの磁界の放射状の分力の強度│Ｂｒ│は、１／Ｒ２の場合の│Ｂｒ│よりかなり大きい。ここに示されたように、ケーブルのセンターラインからの距離Ｒについて、放射状の外部磁界の強度は１／Ｒｎ（ただし、１<ｎ<２）に従って減少する。図７および図８の曲線は、波長１０、２０、３０メートルまたはそれ以上の波長に対する曲線である。波長Ｌより長ければ長いほど、１／Ｒへの近似値に近くなることは明らかである。